(57)【要約】【課題】従来の表示領域は、情報の表示や表示状態の検出用にしか用いられていない。【解決手段】映像、文字情報その他の情報を表示する主表示領域と、筐体色を表示する筐体色表示領域と、筐体色表示領域を筐体色情報に応じて駆動制御する表示領域駆動部とを有する表示パネルモジュールを提案する。この表示パネルモジュールを電子機器に搭載することにより、電子機器の筐体色の多様性を実現できる。【選択図】図１
2008058858.tif 000002
【特許請求の範囲】
【請求項１】
映像、文字情報その他の情報を表示する主表示領域と、
筐体色を表示する筐体色表示領域と、
前記筐体色表示領域を筐体色情報に応じて駆動制御する表示領域駆動部と
を有することを特徴とする表示パネルモジュール。
【請求項２】
請求項１に記載の表示パネルモジュールにおいて、
前記主表示領域と筐体色表示領域は同じ基体上に形成される
ことを特徴とする表示パネルモジュール。
【請求項３】
請求項１に記載の表示パネルモジュールにおいて、
前記主表示領域と筐体色表示領域は異なる基体上に形成される
ことを特徴とする表示パネルモジュール。
【請求項４】
請求項２に記載の表示パネルモジュールにおいて、
前記基体はガラス基板である
ことを特徴とする表示パネルモジュール。
【請求項５】
請求項３に記載の表示パネルモジュールにおいて、
前記基体はガラス基板である
ことを特徴とする表示パネルモジュール。
【請求項６】
請求項２に記載の表示パネルモジュールにおいて、
前記基体は可撓性のフィルム素材である
ことを特徴とする表示パネルモジュール。
【請求項７】
請求項３に記載の表示パネルモジュールにおいて、
前記基体は可撓性のフィルム素材である
ことを特徴とする表示パネルモジュール。
【請求項８】
請求項１に記載の表示パネルモジュールにおいて、
前記筐体色は、輝度及び色調のいずれか一方又は両方の可変制御により表示される
ことを特徴とする表示パネルモジュール。
【請求項９】
請求項１に記載の表示パネルモジュールにおいて、
前記主表示領域の画素サイズと前記筐体色表示領域の画素サイズが異なる
ことを特徴とする表示パネルモジュール。
【請求項１０】
請求項１に記載の表示パネルモジュールにおいて、
前記主表示領域の画素配列と前記筐体色表示領域の画素配列が異なる
ことを特徴とする表示パネルモジュール。
【請求項１１】
請求項１に記載の表示パネルモジュールにおいて、
前記主表示領域の発光方式と前記筐体色表示領域の表示方式が異なる
ことを特徴とする表示パネルモジュール。
【請求項１２】
請求項１に記載の表示パネルモジュールにおいて、
前記主表示領域と前記筐体色表示領域の各画素は有機ＥＬ素子で構成される
ことを特徴とする表示パネルモジュール。
【請求項１３】
映像、文字情報その他の情報を表示する主表示領域と、筐体色を表示する筐体色表示領域と、前記筐体色表示領域を筐体色情報に応じて駆動制御する表示領域駆動部とを有する表示パネルモジュールと、
前記筐体色表示領域の全部又は一部を覆う導光性材料と、
を有することを特徴とする表示装置。
【請求項１４】
請求項１３に記載の表示装置は、
前記筐体色情報を保持する記憶領域を有する
ことを特徴とする表示装置。
【請求項１５】
請求項１３に記載の表示装置は、
前記導光性材料は、光拡散部材である
ことを特徴とする表示装置。
【請求項１６】
請求項１３に記載の表示装置は、
前記導光性材料は、前記筐体色表示領域の表示面に対して立体的に配置される
ことを特徴とする表示装置。
【請求項１７】
映像、文字情報その他の情報を表示する主表示領域と、筐体色を表示する筐体色表示領域と、前記筐体色表示領域を筐体色情報に応じて駆動制御する表示領域駆動部とを有する表示パネルモジュールと、
前記筐体色表示領域の全部又は一部を覆う導光性材料と、
ことを特徴とする電子機器。
【発明の詳細な説明】
【技術分野】
【０００１】
この明細書で説明する発明は、表示パネルモジュールを実装する電子機器の筐体色を電気的に表現する技術に関する。
なお、発明者らが提案する発明は、表示パネルモジュール、表示装置及び電子機器としての側面を有する。
【背景技術】
【０００２】
今日、様々な種類の表示パネルモジュールが電子機器に実装されている。これら表示パネルモジュールには、電子機器の種類に応じて映像、文字情報その他の情報が表示される。なお、表示パネルモジュールの中には、情報を表示する主表示領域の他にダミー表示領域を有するものがある。
【０００３】
例えば特許文献１には、主表示領域の発光輝度検出用に主表示領域の外側にダミー画素領域を配置する表示パネルモジュールが開示されている。
【特許文献１】特開２００４−３６１６１８号公報
【発明の開示】
【発明が解決しようとする課題】
【０００４】
既存の表示パネルモジュールの基本的な機能は、情報の表示や表示状態の検出に限られている。
【課題を解決するための手段】
【０００５】
発明者らは、表示パネルモジュールの新たな付加機能として筐体色の表示機能を追加する。すなわち、表示パネルモジュールとして、（ａ）映像、文字情報その他の情報を表示する主表示領域と、（ｂ）筐体色を表示する筐体色表示領域と、（ｃ）筐体色表示領域を筐体色情報に応じて駆動制御する表示領域駆動部とを有するものを提案する。
【０００６】
なお、２つの表示領域は、同じ基体上に形成される場合だけでなく、異なる基体上に形成される場合も含む。いずれの場合も、表示パネルモジュールを搭載する電子機器の筐体色を電気的に表現することが可能になる。
因みに、筐体色は、輝度及び色調のいずれか一方又は両方を可変することにより表現する。
【０００７】
また、主表示領域の画素サイズと筐体色表示領域の画素サイズは同じ場合だけでなく異なる場合も含む。
また、主表示領域の画素配列と筐体色表示領域の画素配列は同じ場合だけでなく異なる場合も含む。
【０００８】
また、主表示領域の発光方式と筐体色表示領域の表示方式は同じ場合だけでなく異なる場合も含む。因みに、表示方式には、有機ＥＬ発光方式、無機ＥＬ発光方式、ＰＤＰ発光方式、ＦＥＤ発行方式、液晶表示方式その他が考えられる。
【発明の効果】
【０００９】
発明者らの提案する技術手法によれば、電子機器の筐体色を電気的に表現することが可能になる。すなわち、筐体色の色調や輝度の多様性を従来以上に高めることができる。
【発明を実施するための最良の形態】
【００１０】
以下、筐体色を電気的に可変可能とする技術を説明する。
なお、本明細書で特に図示又は記載されない部分には、当該技術分野の周知又は公知技術を適用する。
また以下に説明する形態例は、発明の一つの形態例であって、これらに限定されるものではない。
【００１１】
（Ａ）形態例１
（Ａ−１）表示パネルモジュールの平面構成
図１に、表示パネルモジュール１の平面構成例を示す。表示パネルモジュール１は、基体３上に形成される１つの主表示領域５と２つの筐体色表示領域７で構成される。
【００１２】
この形態例の場合、表示パネルモジュール１は、有機ＥＬディスプレイパネルモジュールを想定する。すなわち、表示パネルモジュール１は、マトリクス型の表示パネルモジュールを想定する。勿論、各画素位置には有機ＥＬ素子が配置される。この形態例の場合、基体３はガラス基板である。
【００１３】
主表示領域５と筐体色表示領域７は、同じ基体３上に形成される表示領域である。この形態例の場合、主表示領域５と筐体色表示領域７は、同じ画素サイズ及び同じ画素配列で構成される。
【００１４】
このうち、主表示領域５は、映像、文字情報その他の情報を表示する領域である。筐体色表示領域７は、筐体色に対応する色を表示する領域である。この形態例の場合、筐体色表示領域７は、主表示領域５の上下外側に１列ずつ配置される。
【００１５】
図２に、主表示領域５及び筐体色表示領域７の画素配置例を示す。各表示領域の画素サイズ及び画素配列は同じであるのでデータ線は２つの領域で共用することが可能である。  
【００１６】
（Ａ−２）駆動回路の接続形態
図３に、駆動回路の接続形態例を示す。この形態例の場合、領域別に駆動回路を配置する。すなわち、主表示領域駆動部１１と筐体色表示領域駆動部１３とを配置する。なお、各表示領域に対応する駆動部の構成は既知の回路構成を採用する。
【００１７】
主表示領域駆動部１１は、外部より入力される映像信号（階調値）に基づいて各画素に対応する有機ＥＬ素子に流れる電流量を制御する。筐体色表示領域駆動部１３は、筐体色記憶部１５に記憶されている筐体色データ（階調値）に基づいて各画素に対応する有機ＥＬ素子に流れる電流量を制御する。
【００１８】
なお筐体色データは事前に記憶しておくこともできるが、映像信号の一部として逐次更新することも可能である。筐体色データを逐次更新する場合、筐体色の表示色のバリエーションを広げることができる。例えば同じ色調でも輝度を可変することで非常に多様な色調を実現できる。もっとも、この形態例の場合には、２つの筐体表示領域７を単一色で一様に表示する。
【００１９】
（Ａ−３）実装例
図４及び図５に、表示パネルモジュール１の実装例を示す。図４は、電子機器２１の表示パネル面から見た配置図である。図５は、図４のＡ−Ａ端面図である。なお、図中の波線は、電子機器２１の筐体位置を示す。
【００２０】
図４及び図５に示すように、筐体色表示領域７の表面は拡散板シート２３で被覆される。拡散板シート２３は、筐体色表示領域７から入力した光をシート面全体に均一に拡散する。結果的に、拡散板シート２３が露出した部分の筐体色は、筐体色表示領域７の表示色（輝度及び色調）となる。すなわち、主表示領域５の上下部分に任意の表示色が表示される。
【００２１】
勿論、拡散板シート２３の面積比率が大きいほど、電気的に制御できる筐体面積が増える。
以上のように、表示パネルモジュール１の一部領域に筐体色表示領域７を配置し、この表示色を電気的に制御することにより、電子機器の筐体色のバリエーションを従来に比して拡大できる。
【００２２】
また、電気的に筐体色を可変できるので製造コストを現在に比して低下できる。
また、現存する電気機器の筐体色は、素材固有の色調や塗装色に限定される。しかし、この形態例で説明した表示パネルモジュール１を実装した電子機器の場合には、製品出荷後も任意に筐体色を可変することができる。
【００２３】
例えば利用開始からの時間長、利用時間帯に応じて筐体色を可変することができる。また例えば専用のユーザーインターフェースを用いて利用者が筐体色や表示パターンを変更することができる。
【００２４】
（Ｂ）他の形態例
（Ｂ−１）筐体色表示領域の配置位置
前述した形態例では、筐体色表示領域７を主表示領域５の上下外側に１つずつ配置する場合について説明した。
【００２５】
しかし、筐体色表示領域７の配置数や配置位置はこれに限らない。例えば、筐体色表示領域７は、主表示領域５のいずれか一辺の外側に配置しても良い。また例えば、図６に示すように、筐体色表示領域７は、主表示領域５の左右両側に１つずつ配置しても良い。
【００２６】
また例えば、図７に示すように、筐体色表示領域７は、主表示領域５の４辺全ての外側に１つずつ配置しても良い。
また例えば、筐体色表示領域７の表示光を筐体表面に導く導光性の部材を工夫することにより主表示領域５の配置面とは別の側面や裏面部分の筐体色を可変制御しても良い。
【００２７】
（Ｂ−２）基板
前述した形態例では、主表示領域５と筐体色表示領域７を同じ基体３上に形成する場合について説明した。
しかし、主表示領域５と筐体色表示領域７は別の基体上に形成しても良い。図８に一例を示す。図８の場合、主表示領域５は基体３Ａ上に形成され、筐体色表示領域７は基体３Ｂ上に形成される。なお、基板３Ａ及び３Ｂの材質は異なっていても良い。
【００２８】
（Ｂ−３）表示領域の形成面
前述した形態例では、主表示領域５と筐体色表示領域７が同一基板上の同一面上形成される場合について説明した。
【００２９】
しかし、主表示領域５と筐体色表示領域７を同一基体の異なる面上に形成しても良い。図９に一例を示す。図９の場合、主表示領域５を表面側に筐体色表示領域７を裏面側に配置する場合を示す。このような位置関係の場合、筐体色表示領域７を形成できる範囲の制約がないため、任意の大きさの表示領域を任意の位置に形成できる。
【００３０】
（Ｂ−４）拡散部材と筐体色表示領域との関係
前述した形態例の場合、筐体色表示領域７より面積の広い拡散板シート２３を用いる場合について説明した。
【００３１】
しかし、電子機器の形状やデザインに応じた大きさであれば良いので、拡散板シート２３は筐体色表示領域７の面積と同じかそれ以下でも良い。
図１０に一例を示す。図１０は、電子機器のある部分の端面図である。図１０の場合、拡散板シート２３と筐体色表示領域７の横幅が同じ例を示す。
【００３２】
（Ｂ−５）拡散部材の形状
前述した形態例の場合、拡散部材が平板上である場合について説明した。
しかし、拡散部材は立体的な形状を有していても良い。図１１及び図１２に一例を示す。
【００３３】
図１１は、筐体色表示領域７の表示光が主表示領域５の表示光と同じ方向に射出される場合に用いる拡散板２５の例である。この拡散板２５は、厚みを有するブロック状の導光部材であり、表面が主表示領域５側に湾曲した形状を有している。拡散板２５を立体的な形状に加工することにより、筐体色表示領域７の表示光を様々な方向に出力することができる。
【００３４】
図１２は、筐体色表示領域７の表示光が主表示領域５の表示光とは逆向きに（基体側に）出力される場合に用いる拡散板２５の例である。すなわち、筐体色表示領域７の表示光が基体３を透過して拡散板２５の表面から出力される場合の例である。このような取り付け方法の場合、電子機器の裏面側を任意の筐体色で表示することができる。
【００３５】
（Ｂ−６）筐体色表示領域の表面部材
前述した形態例の場合、筐体色表示領域７の表面に拡散部材を配置する場合について説明した。
しかし、拡散部材を配置しなくても良い。また、透明又は半透明の導光部材を筐体色表示領域７の表面に配置しても良い。例えばプラスチック部材、ガラスその他の導光部材でも良い。
【００３６】
（Ｂ−７）基体の材質
前述した形態例の場合、基体３がガラス基板である場合について説明した。
しかし、基体３は、プラスチック部材や樹脂その他の材質でも良い。例えば基体３は可撓性のシート部材でも良い。
【００３７】
（Ｂ−８）筐体色表示領域の構造
前述した形態例の場合、筐体色表示領域７がＲ画素、Ｇ画素、Ｂ画素が繰り返し順番に出現する列構造を有する場合について説明した。
しかし、図１３に示すように、筐体色表示領域７を複数行の画素列で構成しても良い。
【００３８】
（Ｂ−９）表示領域の画素構造
前述した形態例の場合、主表示領域５と筐体色表示領域７の画素構造（画素サイズ及び画素配列等）が同じである場合について説明した。
しかし、筐体色表示領域７は、電子機器の筐体色を表現できれば良いので必ずしも主表示領域５と同じ画素構造である必要はない。
【００３９】
（Ｂ−１０）筐体色表示領域の他の駆動方法
前述した形態例の場合、筐体色表示領域７を一様に単色表示する場合について説明した。
しかし、筐体色表示領域７は、複数の表示領域のそれぞれで異なる表示色を表示しても良いし、同一領域内でも異なる色調を混在させても良い。
【００４０】
また、前述した形態例の場合、複数の筐体色表示領域７をそれぞれ同じ表示色で表示する場合について説明した。
しかし、表示領域別に異なる表示色を表示しても良い。例えば表示色の右側と左側とで異なる色を表示しても良い。
【００４１】
図１４に表示例を示す。図１４は、形態例で説明した表示パネルモジュール１をカーナビゲーション装置に実装した場合の駆動例である。筐体色表示領域７は、主に筐体色を表示するのに用いられるが、図１４に示したように、進行方向側の筐体色表示領域７の表示輝度を上げたり、点滅させたり、表示色を変える等することにより、運転者に進行方向を通知する機能も実現することができる。
【００４２】
（Ｂ−１１）実装例
前述した表示パネルモジュール１は、各種の電子機器に搭載することができる。なお、ここでの電子機器は、可搬型であるか据え置き型かを問わない。
【００４３】
（ａ）放送波受信装置
表示パネルモジュール１は、放送波受信装置に搭載することができる。
図１５に、放送波受信装置の機能構成例を示す。放送波受信装置３１は、表示パネル３３、システム制御部３５、操作部３７、記憶媒体３９、電源４１及びチューナー４３を主要な構成デバイスとする。表示パネル３３が、前述した表示パネルモジュール１に対応する。
【００４４】
なお、システム制御部３５は、例えばマイクロプロセッサで構成される。システム制御部３５は、システム全体の動作を制御する。操作部３７は、機械式の操作子の他、グラフィックユーザーインターフェースも含む。
【００４５】
記憶媒体３９は、表示パネル３３に表示する画像や映像に対応するデータの他、ファームウェアやアプリケーションプログラムの格納領域として用いられる。電源４１は、放送波受信装置３１が可搬型の場合にはバッテリー電源を使用する。勿論、放送波受信装置３１が据え置き型の場合には商用電源を使用する。
【００４６】
チューナー４３は、到来する放送波の中からユーザーの選局した特定チャネルの放送波を選択的に受信する装置である。
この放送波受信装置の構成は、例えばテレビジョン番組受信機、ラジオ番組受信機に適用する場合に用いることができる。
【００４７】
（ｂ）オーディオ装置
図１６は、再生機としてのオーディオ装置に適用する場合の機能構成例である。
再生機としてのオーディオ装置５１は、表示パネル５３、システム制御部５５、操作部５７、記憶媒体５９、電源６１、オーディオ処理部６３及びスピーカー６５を主要な構成デバイスとする。表示パネル５３が、前述した表示パネルモジュール１に対応する。
【００４８】
この場合も、システム制御部５５は、例えばマイクロプロセッサで構成される。システム制御部５５は、システム全体の動作を制御する。操作部５７は、機械式の操作子の他、グラフィックユーザーインターフェースも含む。
【００４９】
記憶媒体５９は、オーディオデータの他、ファームウェアやアプリケーションプログラムの格納領域である。電源６１は、オーディオ装置５１が可搬型の場合にはバッテリー電源を使用する。勿論、オーディオ装置５１が据え置き型の場合には商用電源を使用する。
【００５０】
オーディオ処理部６３は、オーディオデータを信号処理する処理デバイスである。圧縮符号化されたオーディオデータの解凍処理も実行される。スピーカー６５は、再生された音を出力するデバイスである。
【００５１】
なお、オーディオ装置５１を記録機として用いる場合、スピーカー６５に替えてマイクロフォンを接続する。この場合、オーディオ処理部５１は、オーディオデータを圧縮符号化する機能を実現する。
【００５２】
（ｃ）通信装置
図１７は、通信装置に適用する場合の機能構成例である。通信装置７１は、表示パネル７３、システム制御部７５、操作部７７、記憶媒体７９、電源８１及び通信部８３を主要
な構成デバイスとする。表示パネル７３が、前述した表示パネルモジュール１に対応する。
【００５３】
なお、システム制御部７５は、例えばマイクロプロセッサで構成される。システム制御部７５は、システム全体の動作を制御する。操作部７７は、機械式の操作子の他、グラフィックユーザーインターフェースも含む。
【００５４】
記憶媒体７９は、表示パネル７３に表示する画像や映像に対応するデータファイルの他、ファームウェアやアプリケーションプログラムの格納領域として用いられる。電源８１は、通信装置７１が可搬型の場合にはバッテリー電源を使用する。勿論、通信装置７１が据え置き型の場合には商用電源を使用する。
【００５５】
通信部８３は、他機との間でデータを送受信する無線装置である。この通信装置の構成は、例えば据え置き型の電話機や携帯電話機に適用する場合に用いることができる。
【００５６】
（ｄ）撮像装置
図１８は、撮像装置に適用する場合の機能構成例である。撮像装置９１は、表示パネル９３、システム制御部９５、操作部９７、記憶媒体９９、電源１０１及び撮像部１０３を主要な構成デバイスとする。表示パネル９３が、前述した表示パネルモジュール１に対応する。
【００５７】
なお、システム制御部９５は、例えばマイクロプロセッサで構成される。システム制御部９５は、システム全体の動作を制御する。操作部９７は、機械式の操作子の他、グラフィックユーザーインターフェースも含む。
【００５８】
記憶媒体９９は、表示パネル９３に表示する画像や映像に対応するデータファイルの他、ファームウェアやアプリケーションプログラムの格納領域として用いられる。電源１０１は、撮像装置９１が可搬型の場合にはバッテリー電源を使用する。勿論、撮像装置９１が据え置き型の場合には商用電源を使用する。
【００５９】
撮像部１０３は、例えばＣＭＯＳセンサーとその出力信号を処理する信号処理部で構成する。この撮像装置の構成は、例えばデジタルカメラ、ビデオカメラ等に適用する場合に用いることができる。
【００６０】
（ｅ）情報処理装置
図１９は、情報処理装置に適用する場合の機能構成例である。情報処理装置１１１は、表示パネル１１３、システム制御部１１５、操作部１１７、記憶媒体１１９及び電源１２１を主要な構成デバイスとする。表示パネル１１３が、前述した表示パネルモジュール１に対応する。
【００６１】
なお、システム制御部１１５は、例えばマイクロプロセッサで構成される。システム制御部１１５は、システム全体の動作を制御する。操作部１１７は、機械式の操作子の他、グラフィックユーザーインターフェースも含む。
【００６２】
記憶媒体１１９は、表示パネル１１３に表示する画像や映像に対応するデータファイルの他、ファームウェアやアプリケーションプログラムの格納領域として用いられる。電源１２１は、情報処理装置１１１が可搬型の場合にはバッテリー電源を使用する。勿論、情報処理装置１１１が据え置き型の場合には商用電源を使用する。
【００６３】
この情報処理装置の構成は、例えばゲーム機、電子ブック、電子辞書、測定装置、冷蔵庫、洗濯機、コンピュータ等に適用する場合に用いることができる。
【００６４】
（Ｂ−１２）表示素子（装置）
前述の形態例では、主表示領域５及び筐体色表示領域７の両方が有機ＥＬ素子で構成される場合について説明した。
【００６５】
しかし、各表示領域はその他の自発光表示方式に対応した自発光素子（例えば無機ＥＬ素子、ＦＥＤ方式の発光素子、ＰＤＰ方式の発光素子）でも良い。また、各表示領域は、非自発光型の表示方式である液晶表示装置で構成されていても良い。なお、主表示領域５と筐体色表示領域７とで別々の表示装置構造を採用しても良い。
【００６６】
（Ｂ−１３）その他
前述した形態例には、発明の趣旨の範囲内で様々な変形例が考えられる。また、本明細書の記載に基づいて創作される又は組み合わせられる各種の変形例及び応用例も考えられる。
【図面の簡単な説明】
【００６７】
【図１】表示パネルモジュールの平面構成例を示す図である。
【図２】主表示領域及び筐体色表示領域の画素配置例を示す図である。
【図３】駆動回路の接続形態例を示す図である。
【図４】表示パネルモジュールの実装例を示す図である。
【図５】表示パネルモジュールの実装例を示す図である。
【図６】筐体色表示領域の他の配置例を示す図である。
【図７】筐体色表示領域の他の配置例を示す図である。
【図８】別基板構成を説明する図である。
【図９】筐体色表示領域の他の配置例を示す図である。
【図１０】拡散部材と筐体色表示領域の他の配置関係を示す図である。
【図１１】拡散部材の他の構造例を示す図である。
【図１２】拡散部材の他の構造例を示す図である。
【図１３】筐体色表示領域の他の構造例を示す図である。
【図１４】筐体色表示領域の他の駆動例を示す図である。
【図１５】消費電力削減装置の電子機器への搭載例を説明する図である。
【図１６】消費電力削減装置の電子機器への搭載例を説明する図である。
【図１７】消費電力削減装置の電子機器への搭載例を説明する図である。
【図１８】消費電力削減装置の電子機器への搭載例を説明する図である。
【図１９】消費電力削減装置の電子機器への搭載例を説明する図である。
【符号の説明】
【００６８】
１        表示パネルモジュール
３        基体
５        主表示領域
７        筐体色表示領域
１１      主表示領域駆動部
１３      筐体色表示領域駆動部
１５      筐体色記憶部
【図１】
2008058858.tif 000003
【図２】
2008058858.tif 000004
【図３】
2008058858.tif 000005
【図４】
2008058858.tif 000006
【図５】
2008058858.tif 000007
【図６】
2008058858.tif 000008
【図７】
2008058858.tif 000009
【図８】
2008058858.tif 000010
【図９】
2008058858.tif 000011
【図１０】
2008058858.tif 000012
【図１１】
2008058858.tif 000013
【図１２】
2008058858.tif 000014
【図１３】
2008058858.tif 000015
【図１４】
2008058858.tif 000016
【図１５】
2008058858.tif 000017
【図１６】
2008058858.tif 000018
【図１７】
2008058858.tif 000019
【図１８】
2008058858.tif 000020
【図１９】
2008058858.tif 000021